(57)【要約】  医薬品取り出し用キャビネットは、内部に保管された医薬品および医療用品へのアクセスを制限する。キャビネットは、少なくとも１つの施錠可能な保管区画と、当該少なくとも１つの施錠可能な保管区画へのアクセスを管理するコントローラとを備えている。キャビネットは、複数の組み込みプリンタを備えている。キャビネットは、コントローラに動作可能に接続されたカメラを備えている。キャビネットは、キャビネット電子装置一式と、配電・通信回路基板とを備えている。キャビネットは、無線自動識別（ＲＦＩＤ）リーダーを備えている、コントローラがＲＦＩＤリーダーからの情報を受信して、上記少なくとも１つの施錠可能な保管区画へのアクセスを調整する。データは、ＲＡＩＤ技術の一実施態様に従って、コントローラに記憶させる。コントローラは、複数の電子通信ネットワークインターフェースを備えており、帯域外ネットワーク通信チャンネルを備えている。取り出し用キャビネットは、医薬品のラベルの印刷を容易化する。
2014515690.tif 000002
【特許請求の範囲】
【請求項１】
医薬品取り出し用キャビネットであって、
少なくとも１つの施錠可能な保管区画と、
前記少なくとも１つの施錠可能な保管区画へのアクセスを管理するコントローラと、
前記コントローラに接続され、医薬品取り出し用キャビネットに組み込まれた２つのプリンタと、
を備える医薬品取り出し用キャビネット。
【請求項２】
前記プリンタがレシートプリンタおよびラベルプリンタを備えることを特徴とする、請求項１に記載の医薬品取り出し用キャビネット。
【請求項３】
前記２つのプリンタが共通のベゼルに搭載されることを特徴とする、請求項１に記載の医薬品取り出し用キャビネット。
【請求項４】
前記プリンタの少なくとも一方が印刷本紙を保持する印刷本紙ホルダーを備え、当該印刷本紙ホルダーが当該印刷本紙に略一致するように成形された曲面を備え、当該曲面が滑らかに形成された隆起形状を有することにより、当該本紙を取り出し時に摺動自在としたことを特徴とする、請求項１に記載の医薬品取り出し用キャビネット。
【請求項５】
医薬品取り出し用キャビネットであって、
少なくとも１つの施錠可能な保管区画と、
前記少なくとも１つの施錠可能な保管区画へのアクセスを管理するコントローラと、
前記コントローラに動作可能に接続されたカメラと、
を備える医薬品取り出し用キャビネット。
【請求項６】
前記カメラが当該医薬品取り出し用キャビネットのユーザを撮影するように位置決めされることを特徴とする、請求項５に記載の医薬品取り出し用キャビネット。
【請求項７】
前記カメラを用いて撮影された当該医薬品取り出し用キャビネットのユーザの写真が使用ログと関連付けられることを特徴とする、請求項６に記載の医薬品取り出し用キャビネット。
【請求項８】
医薬品取り出し用キャビネットであって、
少なくとも１つの施錠可能な保管区画と、
前記少なくとも１つの施錠可能な保管区画へのアクセスを管理するコントローラと、
キャビネット電子装置一式と、
第１の所要電圧源セットを前記コントローラに供給するとともに第２の所要電圧源セットを前記キャビネット電子装置に供給する回路を備える配電・通信回路基板であって、当該コントローラとキャビネット電子装置間で通信信号を送信する配電・通信回路基板と、
を備える医薬品取り出し用キャビネット。
【請求項９】
前記回路が前記２つの所要電圧源セットを単一の電源電圧から取り出すことを特徴とする、請求項８に記載の医薬品取り出し用キャビネット。
【請求項１０】
医薬品取り出し用キャビネットであって、
少なくとも１つの施錠可能な保管区画と、
前記少なくとも１つの施錠可能な保管区画へのアクセスを管理するコントローラと、
無線自動識別（ＲＦＩＤ）リーダーと、を備え、
前記コントローラが、前記ＲＦＩＤリーダーからの情報を受信して、前記少なくとも１つの施錠可能な保管区画へのアクセスを調整することを特徴とする医薬品取り出し用キャビネット。
【請求項１１】
前記コントローラが、当該医薬品取り出し用キャビネットのユーザのＩＤ、パスワード、およびセキュリティコードのいずれかまたは任意の組み合わせを含む前記ＲＦＩＤリーダーからの情報を受信して、前記少なくとも１つの施錠可能な保管区画へのアクセスを調整することを特徴とする、請求項１０に記載の医薬品取り出し用キャビネット。
【請求項１２】
生体センサーをさらに備える、請求項１０に記載の医薬品取り出し用キャビネット。
【請求項１３】
前記コントローラが、前記生体センサーからの情報を受信して、前記少なくとも１つの施錠可能な保管区画へのアクセスを調整することを特徴とする、請求項１２に記載の医薬品取り出し用キャビネット。
【請求項１４】
スマートカードリーダーをさらに備える、請求項１０に記載の医薬品取り出し用キャビネット。
【請求項１５】
前記コントローラが、前記スマートカードリーダーからの情報を受信して、前記少なくとも１つの施錠可能な保管区画へのアクセスを調整することを特徴とする、請求項１４に記載の医薬品取り出し用キャビネット。
【請求項１６】
医薬品取り出し用キャビネットであって、
少なくとも１つの施錠可能な保管区画と、
前記少なくとも１つの施錠可能な保管区画へのアクセスを管理するコントローラであって、データ記憶媒体を備えるコントローラと、を備え、
ＲＡＩＤ技術の一実施態様に従って、前記データ記憶媒体にデータが冗長的に記憶されることを特徴とする医薬品取り出し用キャビネット。
【請求項１７】
医薬品取り出し用キャビネットであって、
少なくとも１つの施錠可能な保管区画と、
前記少なくとも１つの施錠可能な保管区画へのアクセスを管理するコントローラであって、冗長な有線電子通信ネットワークインターフェースを備えるコントローラと、
を備える医薬品取り出し用キャビネット。
【請求項１８】
医薬品取り出し用キャビネットであって、
少なくとも１つの施錠可能な保管区画と、
前記少なくとも１つの施錠可能な保管区画へのアクセスを管理するコントローラであって、当該コントローラのオペレーティングシステムの状態とは独立している帯域外ネットワーク通信チャンネルを含むコントローラと、
を備える医薬品取り出し用キャビネット。
【請求項１９】
取り出し用キャビネットであって、
少なくとも１つの施錠可能な保管区画と、
前記少なくとも１つの施錠可能な保管区画へのアクセスを管理するコントローラと、
前記コントローラに接続されたラベルプリンタと、を備え、
キャビネットから物品が取り出された場合にラベルが自動的に印刷されるように前記コントローラが構成されることを特徴とする取り出し用キャビネット。
【請求項２０】
ラベルの印刷前に前記取り出された物品の識別確認が必要であることを特徴とする、請求項１９に記載の取り出し用キャビネット。
【請求項２１】
前記取り出された物品を識別する印刷ラベル上にバーコードを含むか、または含まないように前記コントローラが構成可能であることを特徴とする、請求項１９に記載の取り出し用キャビネット。
【請求項２２】
前記取り出された物品の使用期限を印刷ラベル上に含むか、または含まないように前記コントローラが構成可能であることを特徴とする、請求項１９に記載の取り出し用キャビネット。
【請求項２３】
ラベルの印刷に成功したか否かに関わらず、当該キャビネットからの物品の支給をキャビネットのユーザが完遂可能であることを特徴とする、請求項１９に記載の取り出し用キャビネット。
【請求項２４】
取り出し用キャビネットの運用方法であって、
取り出された物品の指定をキャビネットのユーザから受ける工程と、
前記物品を識別するラベルを印刷する工程と、
前記取り出された物品への前記ラベルの貼り付けをユーザに促す工程と、
を含む取り出し用キャビネットの運用方法。
【請求項２５】
前記物品の取り出し時に前記ラベルが自動的に印刷されることを特徴とする、請求項２４に記載の方法。
【請求項２６】
前記ラベルの印刷指示をユーザから受ける工程をさらに含む、請求項２４に記載の方法。
【請求項２７】
前記取り出された物品の識別確認を要求する工程をさらに含む、請求項２４に記載の方法。
【請求項２８】
前記取り出された物品を識別するバーコードを前記ラベルに印刷する工程をさらに含む、請求項２４に記載の方法。
【請求項２９】
使用期限を前記ラベルに印刷する工程をさらに含む、請求項２４に記載の方法。
【請求項３０】
第２の取り出された物品の指定を受ける工程と、
前記第２の取り出された物品の識別確認を要求する工程と
前記確認を受けていないことを認識する工程と、をさらに含み、
前記確認を受けていないことの結果として、前記第２の取り出された物品のラベルが印刷されないことを特徴とする、請求項２４に記載の方法。
【発明の詳細な説明】
【技術分野】
【０００１】
本発明は、医薬品や医療用品を管理するためのキャビネットシステムおよび方法に関する。
【背景技術】
【０００２】
病院等の患者治療環境においては、数々の医薬品およびその他の医療用品を使用する可能性がある。通常は、患者に依って異なる医薬品が必要であり、医薬品に依ってアクセスおよび管理の法的基準も異なる場合がある。投薬過誤の回避、不法アクセスの回避、ならびに在庫管理および会計機能の容易化には、医薬品および医療用品を追跡するとともに、アクセスを管理することが強く望まれる。
【発明の概要】
【発明が解決しようとする課題】
【０００３】
本発明は上記した事項を鑑みてなされたものである。
【課題を解決するための手段】
【０００４】
一態様によれば、医薬品取り出し用キャビネットは、少なくとも１つの施錠可能な保管区画と、上記少なくとも１つの施錠可能な保管区画へのアクセスを管理するコントローラと、上記コントローラに接続され、医薬品取り出し用キャビネットに組み込まれた２つのプリンタとを備える。上記プリンタは、レシートプリンタおよびラベルプリンタを備えていてもよい。上記２つのプリンタは、共通のベゼルに搭載されていてもよい。一部の実施形態において、上記プリンタの少なくとも一方は、印刷本紙を保持する印刷本紙ホルダーを備え、当該印刷本紙ホルダーが当該印刷本紙に略一致するように成形された曲面を備え、当該曲面が滑らかに形成された隆起形状を有することにより、当該本紙を取り出し時に摺動自在である。
【０００５】
別の態様によれば、医薬品取り出し用キャビネットは、少なくとも１つの施錠可能な保管区画と、上記少なくとも１つの施錠可能な保管区画へのアクセスを管理するコントローラと、上記コントローラに動作可能に接続されたカメラとを備える。一部の実施形態において、上記カメラは、当該キャビネットのユーザを撮影するように位置決めされる。上記カメラを用いて撮影された当該キャビネットのユーザの写真は、使用ログと関連付けられていてもよい。
【０００６】
別の態様によれば、医薬品取り出し用キャビネットは、少なくとも１つの施錠可能な保管区画と、上記少なくとも１つの施錠可能な保管区画へのアクセスを管理するコントローラと、キャビネット電子装置一式と、配電・通信回路基板とを備える。上記配電・通信回路基板は、第１の所要電圧源セットを上記コントローラに供給するとともに第２の所要電圧源セットを上記キャビネット電子装置に供給する回路を備え、当該コントローラとキャビネット電子装置間で通信信号を送信する。上記回路は、上記２つの所要電圧源セットを単一の電源電圧から提供してもよい。
【０００７】
別の態様によれば、医薬品取り出し用キャビネットは、少なくとも１つの施錠可能な保管区画と、上記少なくとも１つの施錠可能な保管区画へのアクセスを管理するコントローラと、無線自動識別（ＲＦＩＤ）リーダーとを備える。上記コントローラは、上記ＲＦＩＤリーダーからの情報を受信して、上記少なくとも１つの施錠可能な保管区画へのアクセスを調整する。一部の実施形態において、上記コントローラは、当該キャビネットのユーザのＩＤ、パスワード、およびセキュリティコードのいずれかまたは任意の組み合わせを含む上記ＲＦＩＤリーダーからの情報を受信して、上記少なくとも１つの施錠可能な保管区画へのアクセスを調整する。一部の実施形態において、当該医薬品取り出し用キャビネットは、生体センサーをさらに備える。上記コントローラは、上記生体センサーからの情報を受信して、上記少なくとも１つの施錠可能な保管区画へのアクセスを調整するようにしてもよい。一部の実施形態において、当該医薬品取り出し用キャビネットは、スマートカードリーダーをさらに備える。上記コントローラは、上記スマートカードリーダーからの情報を受信して、上記少なくとも１つの施錠可能な保管区画へのアクセスを調整するようにしてもよい。
【０００８】
別の態様によれば、医薬品取り出し用キャビネットは、少なくとも１つの施錠可能な保管区画と、上記少なくとも１つの施錠可能な保管区画へのアクセスを管理するコントローラであって、データ記憶媒体を備えたコントローラとを備える。データは、ＲＡＩＤ技術の一実施態様に従って、上記データ記憶媒体に冗長的に記憶される。
【０００９】
別の態様によれば、医薬品取り出し用キャビネットは、少なくとも１つの施錠可能な保管区画と、上記少なくとも１つの施錠可能な保管区画へのアクセスを管理するコントローラとを備える。上記コントローラは、冗長な有線電子通信ネットワークインターフェースを備える。
【００１０】
別の態様によれば、医薬品取り出し用キャビネットは、少なくとも１つの施錠可能な保管区画と、上記少なくとも１つの施錠可能な保管区画へのアクセスを管理するコントローラとを備える。上記コントローラは、そのオペレーティングシステムの状態とは独立な帯域外ネットワーク通信チャンネルを備える。
【００１１】
別の態様によれば、取り出し用キャビネットは、少なくとも１つの施錠可能な保管区画と、上記少なくとも１つの施錠可能な保管区画へのアクセスを管理するコントローラと、上記コントローラに接続されたラベルプリンタとを備える。上記コントローラは、当該取り出し用キャビネットから物品が取り出された場合にラベルが自動的に印刷されるように構成されている。一部の実施形態においては、ラベルの印刷前に上記取り出された物品の識別確認が必要である。一部の実施形態において、上記コントローラは、上記取り出された物品を識別する印刷ラベル上にバーコードを含むか、または含まないように構成可能である。また、一部の実施形態において、上記コントローラは、上記取り出された物品の使用期限を印刷ラベル上に含むか、または含まないように構成可能である。さらに、一部の実施形態においては、ラベルの印刷に成功したか否かに関わらず、当該取り出し用キャビネットからの物品の支給を取り出し用キャビネットのユーザが完遂可能である。
【００１２】
別の態様によれば、取り出し用キャビネットの運用方法は、取り出された物品の指定をキャビネットのユーザから受ける工程と、上記物品を識別するラベルを印刷する工程と、上記取り出された物品への上記ラベルの貼り付けをユーザに促す工程とを含む。上記ラベルは、上記物品の取り出し時に自動的に印刷されるようになっていてもよい。一部の実施形態において、当該方法は、上記ラベルの印刷指示をユーザから受ける工程をさらに含む。当該方法は、上記取り出された物品の識別確認を要求する工程をさらに含んでいてもよい。また、当該方法は、上記取り出された物品を識別するバーコードを上記ラベルに印刷する工程をさらに含んでいてもよい。一部の実施形態において、当該方法は、使用期限を上記ラベルに印刷する工程をさらに含む。また、一部の実施形態において、当該方法は、第２の取り出された物品の指定を受ける工程と、上記第２の取り出された物品の識別確認を要求する工程と、上記確認を受けていないことを認識する工程とをさらに含み、上記確認を受けていないことの結果として、上記第２の取り出された物品のラベルが印刷されないことを特徴とする。
【図面の簡単な説明】
【００１３】
【図１】実施形態に係る医薬品取り出し用キャビネットを示した図。
【図２】図１のような医薬品取り出し用キャビネットに２つのプリンタを組み込む構成の一例としてのモジュールを示した図。
【図３】図２のモジュールの背面図。
【図４】実施形態に係る卓上型医薬品取り出し用キャビネットを示した図。
【図５】図４の医薬品取り出し用キャビネットの内部図。
【図６】実施形態に係るベゼルに搭載された２つのプリンタを示した図。
【図７】図５の内部を逆の角度から示した図。
【図８】図４に例示の医薬品取り出し用キャビネットをさらに詳しく示した図。
【図９】実施形態に係るカメラと医薬品取り出し用キャビネットとの一体化を示した図。
【図１０Ａ】医薬品取り出し用キャビネットにカメラを組み込む技術の一例を示した図。
【図１０Ｂ】医薬品取り出し用キャビネットにカメラを組み込む技術の一例を示した図。
【図１１】図４の医薬品取り出し用キャビネットのモニターを含む一部を示している図。
【図１２】図１１のモニターを逆の角度から示している図。
【図１３】医薬品取り出し用キャビネットの電子的構成の一例を示した図。
【図１４】配電・通信回路基板の一例を示した概略図。
【図１５】オプションとしてリーダー装置を備えた実施形態に係る医薬品取り出し用キャビネットを示した図。
【図１６】ＲＡＩＤ技術の一実施態様を示した図。
【図１７】冗長ネットワーク接続を備えた実施形態に係る医薬品取り出し用キャビネットを示した図。
【図１８】遠隔管理機能を備えた実施形態に係る医薬品取り出し用キャビネットを示した図。
【図１９Ａ】設定メニューの一例を示した図。
【図１９Ｂ】一実施形態に係る自動ラベル印刷のワークフローを示した図。
【図１９Ｃ】印刷ラベルの一例を示した図。
【図２０Ａ】設定メニューの一例を示した図。
【図２０Ｂ】ラベル印刷に医薬品識別が必要な一実施形態に係るワークフローを示した図。
【発明を実施するための形態】
【００１４】
図１は、実施形態に係る医薬品取り出し用キャビネット１００を示した図である。キャビネット１００は、引き出し１０１ａ〜１０１ｅ等の複数の区画と、扉１０２ａおよび１０２ｂを通してアクセス可能な区画とを備えている。また、医薬品取り出し用キャビネット１００は、コントローラ１０３と、キーボード１０４およびキーパッド１０５等の１または複数のデータ入力装置とを備えている。医薬品取り出し用キャビネット１００のユーザへの情報伝達は、ディスプレイ１０６により可能となっている。一部の実施形態において、医薬品取り出し用キャビネットは、以下に詳述するその他の装置を含んでいてもよい。
【００１５】
コントローラ１０３は、プロセッサ、メモリー、入出力インターフェースおよびその他の構成要素を備えたコンピュータを含む。また、コントローラ１０３は、診療記録システムや在庫・会計システム等の他のコンピュータ制御システムと遠隔通信を行う。
【００１６】
引き出し１０１ａ〜１０１ｅ等の様々な保管区画は、コントローラ１０３の管理下にある。たとえば、各引き出し１０１ａ〜１０１ｅは、電子制御可能な施錠機構を備えていてもよいし、コントローラ１０３の管理下でのみ開くようにしてもよい。また、コントローラ１０３は、どのような医療用品が医薬品保管キャビネット１００のどの区画に保管されているかについての情報を記憶する。通常の基本的な使用シナリオにおいては、医療従事者がキーボード１０４または別の入力装置を用いて、回診中に医薬品が必要となる担当の患者のＩＤを入力する。コントローラ１０３は、患者の診療ファイルにアクセスして、過去に処方された医薬品を把握する。また、コントローラ１０３は、患者の処方医薬品を含む１または複数の引き出しのみを開ける。また、医療従事者が正しい医薬品へと誘導されるように、たとえば発光インジケータによって、正しい引き出しの中の特定の区画を目立たせるようにしてもよい。こうして、医療従事者は、患者の処方医薬品を持ち出すことができる。コントローラ１０３による管理のレベルは、医療従事者が医薬品取り出し用キャビネット１００から正しくない医薬品を持ち出す可能性を低減することによって投薬過誤を防止するのに有用なものである。さらに、コントローラ１０３は、取り出された医薬品の文書化および記録を行うとともに、その情報を在庫・会計システムに転送することが可能である。
【００１７】
同様に、その他多くの特徴および機能が考えられる。たとえば、医療従事者が自身のＩＤを入力するようにしてもよい。また、コントローラ１０３は、医療従事者がアクセスを許可された医薬品および医療用品にのみアクセスを提供するようにしてもよい。
【００１８】
医薬品取り出し用キャビネット１００は、据置型の装置として示しているが、本発明はこれに限定されない。別の実施形態に係るキャビネットは携帯型であってもよく、たとえば、施設中心の用品店から特定の病棟または部門への医薬品および医療用品の移送を容易化するものであってもよい。本発明の実施形態に係るキャビネットの引き出し、扉、またはその他の形状に関する特定の構成は、変更するようにしてもよい。たとえば、本発明を具現化するキャビネットまたは取り出し用カートにおいては、引き出しまたは扉のみを用いるものがあってもよいし、その他何らかのアクセス方法を利用するものがあってもよい。また、引き出しの中の区画は、個別に施錠可能かつ管理可能であってもよい。その他の取り出し用ユニットについては、リップス（Ｌｉｐｐｓ）に付与された２００１年８月７日発行の米国特許第６，２７２，３９４号、リップス（Ｌｉｐｐｓ）に付与された２００２年５月７日発行の米国特許第６，３８５，５０５号、リップス（Ｌｉｐｐｓ）に付与された２００４年７月６日発行の米国特許第６，７６０，６４３号、リップス（Ｌｉｐｐｓ）に付与された１９９８年９月８日発行の米国特許第５，８０５，４５５号、リップス（Ｌｉｐｐｓ）に付与された２００３年８月１９日発行の米国特許第６，６０９，０４７号、ヒガム（Ｈｉｇｈａｍ）ほかに付与された１９９８年９月８日発行の米国特許第５，８０５，４５６号、ヒガム（Ｈｉｇｈａｍ）ほかに付与された１９９８年４月２８日発行の米国特許第５，７４５，３６６号、ヒガム（Ｈｉｇｈａｍ）ほかに付与された１９９９年５月１８日発行の米国特許第５，９０５，６５３号、ゴドレフスキ（Ｇｏｄｌｅｗｓｋｉ）に付与された１９９９年７月２７日発行の米国特許第５，９２７，５４０号、ホームズ（Ｈｏｌｍｅｓ）に付与された２０００年３月２１日発行の米国特許第６，０３９，４６７号、ホームズ（Ｈｏｌｍｅｓ）ほかに付与された２００３年１０月２８日発行の米国特許第６，６４０，１５９号、アーノルド（Ａｒｎｏｌｄ）ほかに付与された２０００年１１月２１日発行の米国特許第６，１５１，５３６号、ブレッチェル（Ｂｌｅｃｈｌ）ほかに付与された１９９５年１月３日発行の米国特許第５，３７７，８６４号、ブレッチェル（Ｂｌｅｃｈｌ）に付与された１９９３年３月２日発行の米国特許第５，１９０，１８５号、ダンカン（Ｄｕｎｃａｎ）ほかに付与された２００５年１２月１３日発行の米国特許第６，９７５，９２２号、ダンカン（Ｄｕｎｃａｎ）ほかに付与された２００９年８月４日発行の米国特許第７，５７１，０２４号、ダンカン（Ｄｕｎｃａｎ）ほかに付与された２０１０年１１月１６日発行の米国特許第７，８３５，８１９号、ホームズ（Ｈｏｌｍｅｓ）に付与された２０００年１月４日発行の米国特許第６，０１１，９９９号、ハイアム（Ｈｉｇｈａｍ）に付与された２００８年３月２５日発行の米国特許第７，３４８，８８４号、ハイアム（Ｈｉｇｈａｍ）に付与された２０１０年３月９日発行の米国特許第７，６７５，４２１号、ウィルソン（Ｗｉｌｓｏｎ）ほかに付与された２００１年１月９日発行の米国特許第６，１７０，９２９号、ファールベルク（Ｖａｈｌｂｅｒｇ）ほかによる２００８年１２月２５日公開の米国特許出願公開第２００８／０３１９５７９号、およびレビー（Ｌｅｖｙ）ほかによる２０１０年２月１８日公開の米国特許出願公開第２０１０／００４２４３７号等の共有に係る米国特許および特許出願に記載されており、その内容を本明細書中に参考として援用する。
【００１９】
本発明の態様を具現化するキャビネット１００等の医薬品取り出し用キャビネットは、先行技術のキャビネットと比較して、利便性および信頼性が改善されたものである。
一態様において、医薬品取り出し用キャビネットは、複数の組み込みプリンタを提供する。これらプリンタに依って、異なる媒体またはその他の特性を必要とする異なる機能を提供することができる。たとえば、医療従事者がキャビネット１００から医薬品または医療用品を持ち出すご度にレシートを印刷することが望ましい場合もある。このようなレシートは、患者ファイルに保管するか、または治療オーダーに添付するようにしてもよい。また、特定の医薬品またはその使用説明を記述した接着ラベルを印刷することが望ましい場合もある。このようなラベルは、医薬品を移し替える注射器、ボトルまたはその他の容器に貼り付けるようにしてもよい。このように、ラベルプリンタでは、レシートプリンタと異なる種類の媒体が必要となる。
【００２０】
図２は、医薬品取り出し用キャビネット１００等のキャビネットに２つのプリンタを組み込む構成の一例としてのモジュール２００を示した図である。モジュール２００は、キーボード１０４およびキーパッド１０５を備えるとともに、組み込みレシートプリンタ２０１および組み込みラベルプリンタ２０２を備えている。両プリンタともモジュール式であるのが好ましく、現場または工場で設置可能であってもよい。また、プリンタは、ユニバーサルシリアルバス（ＵＳＢ）接続等のインターフェースを介して、コントローラ１０３により独立してアドレス指定可能であってもよい。
【００２１】
一部の実施形態において、レシートプリンタ２０１は、比較的軽量の印刷本紙に印刷を行う感熱式プリンタであってもよい。インクジェットプリンタ等、その他のプリンタも同様に使用可能である。ラベルプリンタ２０２は、ラベル本紙に印刷を行う感熱式またはインクジェットプリンタ、もしくは別のプリンタであってもよい。ラベルを印刷したら、裏当てから外して接着剤に曝した後、容器にラベルを貼り付けてもよい。
【００２２】
図３は、モジュール２００の背面図であって、モジュール式のレシートプリンタ２０１およびラベルプリンタ２０２のモジュール２００への搭載を示している。
図４は、２つの組み込みプリンタを備えた卓上型医薬品取り出し用キャビネット４００を示した図である。２つのプリンタは、プリンタ扉４０１の下方に収容され、印刷物を提供する共通開口４０２を共有している。扉４０１は、磁気的に閉じられている。
【００２３】
図５は、医薬品取り出し用キャビネット４００の内部図であって、共通ベゼル５０３の後部に成形されたレシートプリンタ用紙ガイド５０１およびラベルプリンタ用紙ガイド５０２を示している。用紙ガイド５０１および５０２は、それぞれの用紙ロールを真っ直ぐにしてプリンタと揃えるためのガイドとして機能するものであってもよいし、ガイドに沿って用紙を摺動させることによりユーザによる手動の用紙装着を支援するものであってもよい。図６は、ベゼル５０３に搭載された２つのプリンタを示した図である。
【００２４】
図７は、医薬品取り出し用キャビネット４００の内部を逆の角度から示した図であって、レシート用紙ホルダー７０１およびラベル本紙ホルダー７０２の構成を示している。図７に見られるように、用紙ホルダー７０１およびラベル本紙ホルダー７０２は、媒体ロールのスピンドルが存在する場合に、そのスピンドルを係合する形状７０３を有する。ただし、上記プリンタの一方または両方において、スピンドルを備えていないロール媒体を使用可能である。スピンドルのない媒体ロールの使用を容易にするには、隆起形状７０４によって媒体を支持する。隆起形状７０４は、滑らかに形成することによって、媒体を取り出し時に摺動自在としてもよい。
【００２５】
図８は、例示の医薬品取り出し用キャビネット４００をさらに詳しく示した図である。本例の実施形態においては、３つの爪部と３つの螺子とによって、ベゼル５０３が前蓋アセンブリに搭載されている。プリンタ２０１および２０２は、各々２つの螺子と耳部とによって、ベゼル５０３に搭載されている。また、ベゼル５０３の耳部は、必要なワイヤをプリンタ２０１および２０２へと送る際にも役立つ（図８にはワイヤを示していない）。
【００２６】
別の態様によれば、キャビネット１００等の医薬品取り出し用キャビネットは、カメラを備えている。図９に示すように、カメラ９０１は、医薬品取り出し用キャビネット１００のキーボード１０４近傍の領域９０２に組み込まれていてもよいし、その他の位置も考えられる。カメラ９０１は、キャビネット１００へのアクセス時にその如何なるユーザもが存在し得る領域を網羅する視野９０３のような視野を提供するものであってもよい。また、コントローラ１０３の管理下において、キャビネット１００にアクセスする各ユーザの写真を撮り、保管して将来的に参照するようにしてもよい。たとえば、その写真を使用ログと関連付けて、キャビネット１００から取り出された医薬品または医療用品の追跡を強化するようにしてもよい。この機能は特に、キャビネットからの持ち出しが特定の人物にのみ許可された規制薬物の追跡に役立つ。また、保管した写真は、キャビネット１００に対する未遂または実際の任意の不法アクセスの検出を支援するものであってもよい。
【００２７】
図１０Ａおよび図１０Ｂは、例示の医薬品取り出し用キャビネット１００のモジュール２００にカメラ９０１を組み込む技術の一例を示した図である。
カメラ９０１等のカメラは、デスクトップ型医薬品取り出し用キャビネット４００等、別のキャビネットに組み込んでもよい。図１１にキャビネット４００の一部を示す。キャビネット４００は自立型モニター１１０１を備えており、カメラは、モニター１１０１のベゼルに対して、たとえばベゼルの上部中心近傍に組み込まれていると都合が良い。また、カメラはオプションであって、カメラが存在しない場合には、標準的なベゼルを使用するようにしてもよい。ただし、カメラが存在する場合には、視野窓を有するベゼルを使用してもよい。
【００２８】
図１２は、モニター１１０１を逆の角度から示している。一部の実施形態において、カメラは、ユニバーサルシリアルバス（ＵＳＢ）インターフェースを備えたモジュールであってもよく、モニター１１０１のＵＳＢハブ１２０１に接続されていてもよい。
【００２９】
別の態様において、図１３は、キャビネット１００等の医薬品取り出し用キャビネットの電子的構成の一例を示した図である。上記説明および図１３に示すように、コントローラ１０３は、プロセッサ、入出力インターフェース、ストレージ、およびその他の構成要素を備えたコンピュータシステムを含んでいてもよい。図１３の例において、コントローラ１０３は、ＡＴＸ（Ａｄｖａｎｃｅｄ  Ｔｅｃｈｎｏｌｏｇｙ  Ｅｘｔｅｎｄｅｄ）構成に準拠したマザーボード１３０１を備えている。たとえば、マザーボード１３０１は、マイクロプロセッサ、拡張カードスロット、揮発性メモリー、不揮発性メモリー、およびその他のコンピュータシステム構成要素を備えていてもよい。揮発性メモリーは、一時的なプログラムおよびデータの記憶に用いるランダムアクセスメモリー（ＲＡＭ）を含んでいてもよい。不揮発性メモリーは、読み出し専用メモリー（ＲＯＭ）、フラッシュメモリー、およびその他の不揮発性メモリーの任意の組み合わせを含んでいてもよく、これらをマザーボード１３０１、システム設定、基本入出力システム（ＢＩＯＳ）、およびその他の項目のブートコードとして保持していてもよい。一部の実施形態においては、不揮発性メモリーの内容の少なくとも一部が遠隔で再プログラミング可能であってもよい。
【００３０】
また、コントローラ１０３は、たとえばキーボード１０４、キーパッド１０５、およびディスプレイ１０６を備えた入出力（Ｉ／Ｏ）装置１３０２を備えていてもよい。さらに、別の装置を備えていてもよい。コントローラ１０３は、たとえば１または複数のハードディスクドライブまたは半導体ドライブ等の長期ストレージを含むストレージ１３０３をさらに備えている。ストレージ１３０３は、マザーボード１３０１のオペレーティングシステムを記憶し、キャビネットの在庫等のデータを記憶し、キャビネットの動作を制御するプログラム命令を保持していてもよい。
【００３１】
キャビネット電子装置１３０４は、様々なアクチュエータおよびインジケータのほか、たとえばコントローラ１０３の管理下で引き出しまたは扉の開錠および施錠を行うキャビネットの管理に関わるその他の構成要素を備えていてもよい。また、キャビネット電子装置１３０４は、１または複数の付加的なマイクロプロセッサまたはその他の論理回路をオプションとして備えていてもよい。マザーボード１３０１は、通信リンク１３０５を介してキャビネット電子装置１３０４と通信を行う。
【００３２】
コントローラ１０３およびキャビネット電子装置１３０４はいずれも、動作に電力を要する。配電・通信回路基板１３０６は、他のシステム構成要素に対する電力調整および配電を行うとともに、コントローラ１０３とキャビネット電子装置１３０４間の通信路を提供する。配電・通信回路基板１３０６の電力供給源は、主電源１３０７である。第１の電源１３０８は、主電源１３０７から得られる電圧を整流して、単一のＤＣ電圧を配電・通信回路基板１３０６に供給するようになっていてもよい。配電・通信回路基板１３０６上の電力調整回路１３０９は、マザーボード１３０１およびその他のシステム構成要素への電力路供給に要する様々な電圧を引き出して、電力の調整を行う。
【００３３】
また、配電・通信回路基板１３０６は、１または複数のバッテリ１３１０と連動していてもよく、主電源が利用可能な場合にバッテリの充電を行うとともに、システムへの電力供給の必要に応じてバッテリ１３１０から電力を引き出す。さらに、配電・通信回路基板１３０６は、電源オンインジケータ、電源スイッチ、診断ポートコネクタ等、またはそれらの組み合わせ等の構成要素１３１１とのインターフェースを提供するものであってもよい。
【００３４】
図１４は、配電・通信回路基板１３０６をさらに詳しく示した図であって、マザーボード１３０１に必要な様々な電圧路と、供給される各種通信信号の一例を示している。また、配電・通信回路基板１３０６は、ホットスワップコントローラ１４０１を備えていてもよく、キャビネット電子装置１３０４への電力を遮断することによって、コントローラ１０３の電源を落とすことなく、キャビネットの引き出し、ボタンインターフェース等の構成要素を交換可能である。
【００３５】
別の態様において、キャビネット１００等の医薬品取り出し用キャビネットは、キャビネットへのアクセスを管理するセキュリティ手段を備えていてもよい。アクセス管理は特に、法的に規制された薬物をキャビネットに保管している場合に有用である。一部の実施形態において、キャビネットのユーザは、キャビネットへのアクセス許可を受けるために、キーボード１０４上で識別情報を入力する必要があってもよい。入力された情報は、権限付与ユーザリストと比較され、当該リスト中に入力情報が見つかった場合にのみアクセスが認められる。権限付与リストは、コントローラ１０３が有していてもよいし、ネットワーク接続を介してアクセスされる遠隔サーバー上にあってもよい。その代替または追加として、パスワード等のセキュリティコードが必要であってもよく、正しいコードを受け付けた場合にのみアクセスを認めるようにしてもよい。
【００３６】
別の実施形態において、キャビネットは、アクセス要求をより高速に識別可能な１または複数の装置を備えていてもよい。図１５は、オプションとしてリーダー装置１５０１および１５０２を備えた実施形態に係る医薬品取り出し用キャビネット１５００を示した図である。異なる種類のリーダーが個別または組み合わせとして設けられていてもよい。
【００３７】
一部の実施形態において、リーダーは、カード読み取りスロット１５０３を備えていてもよい。キャビネット１５００の各権限付与ユーザは、自身の識別情報をプログラムしたカードを携行するようにしてもよい。ユーザは、カード読み取りスロットにカードを通して、識別情報をキャビネット１５００に提供可能である。識別情報は、キャビネット１５００または遠隔サーバーにおいて、キャビネット１５００へのアクセス権限付与者リストと比較され、カード読み取りスロット１５０３で読み出された情報がリストと一致するか、またはリスト上に見つかった場合にのみアクセスが認められる。ユーザが携行するカードは、磁気ストライプカードであってもよい。また、スマートカードを使用してもよく、キャビネット１５００は、スマートカードリーダーを備えていてもよい。別の実施形態において、キャビネット１５００はバーコードスキャナを備えていてもよく、各ユーザは、自身を識別するバーコードを印刷したカード、バッジ等を携行するようにしてもよい。このシナリオでは、バーコードのスキャンによりユーザ識別情報が得られ、上記同様にこの情報を用いて、キャビネット１５００へのアクセスの許可または拒絶が行われる。
【００３８】
また、キャビネット１５００は、指紋リーダー１５０４等の生体センサーを備えていてもよい。キャビネット１５００へのアクセスを要求するユーザが指紋リーダー１５０４上に指を乗せ、これにより指紋を読み取るようにしてもよい。そして、指紋により、キャビネット１５００へのアクセス権限付与者としてファイル上に存在するか否かを確認するようにしてもよい。存在する場合は、アクセスが認められる。
【００３９】
一部の実施形態において、キャビネット１５００は、無線自動識別（ＲＦＩＤ）リーダー１５０５を備えていてもよい。ＲＦＩＤ技術では、トークンに一意のコードがプログラムされ、リーダーが無線でトークンからコードをスキャンする。パッシブＲＦＩＤシステムでは、リーダーからの無線信号によりトークンがアクティブとなって、これによりトークンは、リーダーにコードを返すことができる。アクティブＲＦＩＤシステムでは、トークンがバッテリ等の電源を備えるとともに、パッシブシステムに比べリーダーから遠くの距離でコードを送ることができるようになっていてもよい。キャビネット１５００へのアクセスを要求するユーザがトークンを携行し、トークンがキャビネット１５００に近接した場合にトークンからコードが自動的にスキャンされるようになっていてもよい。コードは、アクセス権限が付与されたコードリストと比較され、一致する場合にアクセスが認められる。
【００４０】
キャビネット１５００の内容物に求められるセキュリティのレベルに応じて、多元的な認証が必要であってもよい。たとえば、キャビネット１５００へのアクセス認証を得るため、ユーザは、承認コードを有するトークン（ユーザ所有）を提供するとともに、正しいパスワード（ユーザ既知）を提供する必要があってもよい。また、指紋（その他ユーザを特定できるもの）を提供する必要があってもよい。様々な識別要素を任意の組み合わせで使用してもよい。
【００４１】
別の態様によれば、コントローラ１０３は、データを冗長的に記憶して、信頼性およびデータ完全性を向上するようにしてもよい。たとえば、マザーボード１３０１はＲＡＩＤ（独立ディスク冗長アレイ）コントローラを備えていてもよく、ストレージ１３０３は複数の記憶装置を備えていてもよい。記憶装置は、ハードディスク等の回転媒体を利用してもよいし、フラッシュメモリー等の半導体メモリーを利用してもよい（ＲＡＩＤ技術は回転ディスクと併用されることが多いが、これに限定されず、冗長な半導体メモリーをＲＡＩＤシステムと見なしてもよい）。キャビネットの在庫および患者の情報を冗長記憶することにより、記憶装置の障害によるデータ損失のリスクが抑えられるため、在庫記録または患者情報が失われるリスクも低くなる。
【００４２】
ＲＡＩＤ保護では、様々なレベルが利用可能である。図１６に示す「ＲＡＩＤ１」では、すべてのデータが冗長記憶装置にミラーリングされる。また、より複雑なＲＡＩＤレベルでは、複数の記憶装置にデータを分散することによって、データ読み出し速度の増大およびエラー修正が可能となっていてもよい。記憶装置の障害率は、（回転ディスクの場合の）可動部品および衝撃不耐性または（半導体ドライブの場合の）過剰なフラッシュ書き込みサイクル疲労のいずれであろうとも、医療用組み込みシステムの予想障害率に大きく寄与し得る。１つのシステムにおいて２つ以上のディスクドライブが同時に故障する可能性は非常に低いため、信頼性が向上する。このような冗長性によって、緊急治療が必要な患者がいない際、不良ディスクを交換するのに十分な時間システムを動作させることができる。
【００４３】
また、データ完全性も向上する。医薬品配給機で処理されるデータとしては、安全を最重視すべき医薬品の調剤、投与量、およびタイミングが挙げられる。患者の安全を守るには、システム設計のレベルごとにデータエラーを即座に検出して警告する予防対策が重要である。ＲＡＩＤは、患者および医薬品のデータに関して、別の重複する安全手段を提供するものである。
【００４４】
別の態様において、実施形態に係る医薬品取り出し用キャビネットは、冗長ネットワーク接続を備えることによって、信頼性を向上するようにしてもよい。この構成を図１７に示す。マザーボード１３０１には、ポート１７０１および１７０２を設けてもよい。医薬品キャビネットは、施設のローカルコンピュータネットワークを介して、医薬品オーダー、患者情報、完了したトランザクションの会計、およびその他の安全を最重視すべき情報を出し入れするサーバー１７０３と通信を行うようになっていてもよい。そして、２重のネットワーク経路１７０４および１７０５を使用することにより、フェイルオーバー保護のためのネットワークリンクの冗長性を提供している。キャビネットのマザーボード上のイーサネット（登録商標)コントローラまたは変換器、コンピュータから壁面コネクタに至るイーサネット(登録商標)パッチケーブル、または病院の壁を通って主ルーターまたはスイッチに至る施設配線を含む経路上の任意の場所で障害が発生した場合には、ＬＡＮ通信が第２のネットワークリンクへと自動的に切り替わる。フェイルオーバーペアの使用は、通常のＩＴシステムにおけるスイッチまたはルーターの他方側のＬＡＮに関して既存のものであってもよい。このことは、患者が移動した場合でも、患者の支援に必要となる最新で最も正確な情報を病院の各キャビネットが有するように保証するのに役立つ。あるいは、両経路を平行に使用してネットワークスループットを改善するか、またはＬＡＮおよびＷＡＮの個別ネットワークを構築して安全および脆弱な機能を実現するように、２つのネットワークインターフェースを構成可能である。
【００４５】
別の態様によれば、実施形態に係る医薬品取り出し用キャビネットのコントローラは、遠隔管理機能を備えていてもよい。この機能を図１８に示す。たとえば、コントローラ１０３は、コンピュータのオペレーティングシステムの状態、電源状態、およびディスクやメモリー等のハードウェア構成要素の状態とは独立な暗号化帯域外ネットワーク通信チャンネルによるハードウェア構成の遠隔管理を含んでいてもよい。この機能により、施設の情報技術部門は、医薬品キャビネットをよりよく発見、修復、および保護することができる。たとえば、このような機能は、米国カリフォルニア州サンタクララにあるＩｎｔｅｌ社製のマイクロプロセッサを用いたコンピュータシステム上で利用可能なＡＭＴ（Ａｄｖａｎｃｅｄ  Ｍａｎａｇｅｍｅｎｔ  Ｔｅｃｈｎｏｌｏｇｙ）により実装してもよい。
【００４６】
帯域外チャンネルは、様々な機能に利用してもよい。たとえば、コントローラ１０３は、保守とサービスの自動化またはハードウェアの在庫確認のためのスクリプト記述と帯域外チャンネルとを組み合わせることによって、遠隔管理するようにしてもよい。また、当該システムによりセキュリティを向上させてもよい。たとえば、医薬品キャビネットの電源を入れてコンピュータが起動したら、帯域外チャンネルを用いて、不正なソフトウェアエージェントを確実に監視するか、またはコンソールを異なる遠隔コンピュータにリダイレクトすることができる。また、たとえば危険な状態またはウイルス感染の可能性があるキャビネットをポートブロック、帯域制限、もしくは完全に分離することによって、ネットワークトラフィックをフィルタリングするようにしてもよい。当該システムは、電力管理に利用してもよい。たとえば、医薬品キャビネットの電源状態をオン／オフのように遠隔で変更してもよい。これにより、コンピュータが不安定またはフリーズ状態となった場合に電源を入れ直すことができ、医療環境における運転時間が向上する。また、当該システムは、たとえばＢＩＯＳの再プログラミングまたはストレージドライブの遠隔再画像化等、コントローラ１０３の遠隔設定に利用してもよい。
【００４７】
上記実施形態では、処方医薬品の取り出しを説明しているが、実施形態に係る取り出し用キャビネットは、医師の処方の必要がない医薬品または包帯、手袋等の医療用品の取り出しに用いてもよい。また、実施形態に係るキャビネットは、麻酔設定に用いてもよい。
【００４８】
また、実施形態に係るシステムは、取り出し用キャビネットから持ち出された医薬品またはその他の医療用品の適正なラベル付けを促進・容易化する機能を備えていてもよい。たとえば、承認を受けた患者治療規格では、如何なる医薬品、医薬品容器、および液剤についても、即座に投与されるものでなければラベル付けを行うことを求めている。ラベリングの失敗または不適正なラベリングは、投薬過誤、投薬忘れ、医療スタッフの無計画な作業、および医薬品の浪費につながる場合がある。
【００４９】
プリンタ２０２等の組み込みラベルプリンタは、取り出しに関連したラベルを印刷する機構を提供する。また、実施形態に係る取り出し用キャビネットは、好都合かつ正確なラベリングを容易化するワークフローによって医療従事者を指示するようにプログラムされていてもよい。
【００５０】
例示的な一構成において、取り出し用キャビネットは、キャビネットから物品が支給されるごとにラベルを自動的に印刷するように構成されている。図１９Ａは、自動印刷を含む様々な動作に関してシステムを設定するメニューを示した図である。メニュー１９００は、たとえば取り出し用キャビネットのコントローラにより表示され、看護師等のユーザがメニュー項目の選択／非選択によってシステムを設定するようにしてもよい。ユーザは、ラベルを印刷したら、たとえば注射可能な医薬品を移し替える注射器等、物品を移し替える容器に新たに印刷したラベルを貼り付けることができる。場合によっては、医薬品等の取り出した物品にラベルを直接貼り付けてもよい。
【００５１】
図１９Ｂは、自動ラベル印刷のワークフローを示した図である。ステップ１９０１において、看護師等の医療従事者は、取り出し用キャビネットにアクセスして医薬品を取り出す対象の患者を選択する。ステップ１９０２において、看護師は、特定の医薬品を取り出す旨を指示する。たとえば、看護師は、モニター１１０１等のモニターに表示されたユーザインターフェース中の「Ｒｅｍｏｖｅ  Ｎｏｗ（今すぐ持ち出す）」ボタンをクリックまたはタッチするようにしてもよい。ステップ１９０３において、システムは、正しい容器から物品を持ち出すよう看護師に指示する。たとえば、「Ｏｐｅｎ  ｌｉｄ  ｏｆ  ｆｌａｓｈｉｎｇ  ｂｉｎ  ｆｏｒ  ｔｈｉｓ  ｍｅｄｉｃａｔｉｏｎ（この医薬品については、点滅する容器の蓋を開けること）」等のメッセージを表示するようにしてもよい。ステップ１９０４においては、ラベルが自動的に印刷される。ステップ１９０５において、看護師は、医薬品にラベルを貼り付けるよう指示を受ける。たとえば、「Ａｐｐｌｙ  ｔｈｅ  ｌａｂｅｌ  ｔｏ  ｔｈｅ  ｃｏｒｒｅｃｔ  ｍｅｄｉｃａｔｉｏｎ（正しい医薬品にラベルを貼り付けること）」等のメッセージを表示するようにしてもよい。
【００５２】
図１９Ｃは、印刷ラベルの一例を示した図である。ラベル上の情報としては、物品に関するデータ、患者、特記事項、またはラベルを印刷したユーザを含んでいてもよい。このデータは、外部システムから取得したものであってもよい。
【００５３】
この一般ワークフローにおいては、別のオプションを提供するようにしてもよい。たとえば、システムは、医薬品を識別するバーコードを印刷ラベル上に含むことによって、取り出した医薬品の使用を後々ベッドサイドで容易に文書化できるように構成されていてもよい。印刷ラベル上にバーコードを含むことによって、医薬品の患者への投与時には、元の医薬品容器が不要となる。一部の実施形態において、特に危険性の高い医薬品を取り出す際には、確認ステップが必要となる場合がある。たとえば、システムは、元の医薬品パッケージをキャビネットから持ち出す際に、バーコードをスキャンすることを必要としてもよく、それによって、取り出された医薬品の識別確認を可能とする。また、システムは、確認が必要だが確認を受けていない場合にはラベルを印刷しないように構成されていてもよい。医療従事者は、たとえば元の医薬品パッケージ上のバーコードが読み取り不可能な状況に対応するため、バーコードスキャンを無効化することができてもよい。また、医療従事者は、バーコードスキャン要求を無効化する正当な理由の説明を入力する必要があってもよい。
【００５４】
図２０Ａは、バーコードおよび確認のオプションが選択された状態の設定メニュー１９００を示した図である。図２０Ｂは、本実施形態に係るワークフローを示した図である。いくつかのステップは、図１９Ｂと同じである。追加ステップ２００１においては、確認が要求される。ステップ２００２において、システムは、たとえば元の医薬品パッケージからのバーコードスキャンに成功したか否か等、確認を受けたか否かを判定する。確認を受けた場合は、ラベルを印刷して取り出された医薬品に貼り付ける。たとえば看護師が確認要求を無効化した場合等、確認を受けていない場合は、ステップ２００３に示すように、ラベルを印刷しない。
【００５５】
第２の例示的なワークフローにおいて、ラベルは、自動的に印刷するのではなく、物品の取り出しに関連してオンデマンドで印刷するようにしてもよい。自動印刷の場合のワークフローと同様に、確認は必要であってもよく、取り出し用キャビネットの現行構成に応じたオプションとして、バーコードが印刷ラベルに含まれていてもよいし、含まれていなくてもよい。
【００５６】
第３の例示的なワークフローにおいて、ラベルは、取り出し用キャビネットから過去に取り出しまたは支給された医薬品等の物品について印刷するようにしてもよい。たとえば、ユーザは、その日の初めに取り出された物品のラベルを印刷してもよい。このワークフローにおいて、看護師は、取り出し用キャビネットのコントローラを用いることにより、特定の患者向けに取り出された医薬品等の物品の記録にアクセスして、当該物品のラベルを印刷する旨を指示する。他のワークフローと同様に、確認は必要であってもよく、取り出し用キャビネットの現行構成に応じたオプションとして、バーコードが印刷ラベルに含まれていてもよいし、含まれていなくてもよい。取り出し用キャビネットのユーザは、別のユーザが取り出した物品のラベルを印刷可能であってもよい。
【００５７】
どちらのワークフローが有効であっても、看護師は、ラベルの印刷に成功したか否かに関わらず、医薬品の支給を完遂可能であることが好ましい。一部の実施形態において、看護師等の医療従事者は、たとえばラベルプリンタからの取り出し時にラベルが損傷した場合等の必要に応じて、ラベルを再印刷可能であってもよい。一部の実施形態において、システムは、取り出された医薬品の使用期限を計算して、印刷ラベル上に印刷するように構成されていてもよい。
【００５８】
特定の取り出し期間においては、単一の医薬品オーダーに従って複数の物品を取り出してもよい。この際、取り出された物品ごとに個別のラベルを印刷するのが好ましい。一部のオーダーにおいては、すべての物品が自動ラベル印刷の対象でなくてもよい。一部の実施形態において、医薬品オーダー中の少なくとも１つの物品が自動ラベル印刷の対象であれば、オーダー中のすべての物品についてラベルが自動的に印刷される。
【００５９】
システムは、異なるワークフローおよびオプションを選択するように構成可能であってもよい。たとえば、システムは、確認を必要とするように構成可能であってもよいし、確認を不要とするように構成可能であってもよい。別の例において、システムは、印刷ラベル上にバーコードを含むように構成可能であってもよいし、バーコードを含まないように構成可能であってもよい。さらに別の例において、システムは、印刷ラベル上に計算した使用期限を含むように構成可能であってもよいし、使用期限を含まないように構成可能であってもよい。図１９Ａは、システム設定の一技術を示しているが、別の方法を想定してもよい。
【００６０】
ラベルプリンタは、注意を向ける必要がある場合に、取り出し用キャビネットのコントローラにその旨を報告可能であるのが好ましい。たとえば、プリンタは、センサーを備えることによって、ラベル本紙の補充の必要性を検出したり、プリンタの印刷設定が適正でなくなったことを検出したりするようにしてもよい。医療従事者には、たとえばモニター１１０１上に表示されたメッセージ等のリアルタイムなメッセージにより、プリンタに注意を向ける必要がある旨を通知するようにしてもよい。また、複数のキャビネットから、状態およびトランザクションを中央サーバーに報告可能である。サーバーは、データをレポートに統合・集約して、管理者によるラベルプリンタの状態および印刷統計の精査に供するようにしてもよい。
【００６１】
本明細書に記載の任意の特徴の任意の有効な組み合わせが開示されている。
以上、本発明をその明確化および理解を目的として詳細に説明したが、当業者であれば、添付の請求の範囲において特定の変更および修正を実施可能であることを理解するであろう。
【図７】
2014515690.tif 000003
【図１】
2014515690.tif 000004
【図２】
2014515690.tif 000005
【図３】
2014515690.tif 000006
【図４】
2014515690.tif 000007
【図５】
2014515690.tif 000008
【図６】
2014515690.tif 000009
【図８】
2014515690.tif 000010
【図９】
2014515690.tif 000011
【図１０Ａ】
2014515690.tif 000012
【図１０Ｂ】
2014515690.tif 000013
【図１１】
2014515690.tif 000014
【図１２】
2014515690.tif 000015
【図１３】
2014515690.tif 000016
【図１４】
2014515690.tif 000017
【図１５】
2014515690.tif 000018
【図１６】
2014515690.tif 000019
【図１７】
2014515690.tif 000020
【図１８】
2014515690.tif 000021
【図１９Ａ】
2014515690.tif 000022
【図１９Ｂ】
2014515690.tif 000023
【図１９Ｃ】
2014515690.tif 000024
【図２０Ａ】
2014515690.tif 000025
【図２０Ｂ】
2014515690.tif 000026
【国際調査報告】
2014515690.tif 000027